(57)【要約】【課題】浴室テレビのように防水スピーカ等の発音手段２１を備えている電子装置では、発音手段２１の前面にカバー３が配置されている。このカバー３には発音手段２１から発せられる音声を透過させるための透音口３１が設けられている。ところが、この透音口３１が湯水で塞がれると発音手段２１からの音声が十分にカバー３の前方へと透過されない。【解決手段】透音口３１内に入った湯水を透音口３１から導き出す導出部３２を透音口３１に連結させて形成した。これにより、透音口３１に湯水が入っても導出部３２に移動して透音口３１内に湯水が残留しなくなる。【選択図】  図３
2005204149.tif 000002
【特許請求の範囲】
【請求項１】
浴室内の壁面に取り付けられる電子装置であって、前面に発音手段を有する装置本体と、装置本体に対して装着され、装置本体の前面及び外側面を覆うカバーとからなり、このカバーを装置本体に装着した状態で装置本体の発音手段の前方に位置する部分にカバーを貫通するスリット状の透音口を有するものにおいて、この透音口の長手方向が水平方向に対して所定の角度をなし、透音口の一端が他端より上方に位置するように透音口を設けると共に、透音口内に滞留する湯水を透音口外へ導出する導出部を透音口の他端に連結して形成したことを特徴とする浴室用電子装置。
【請求項２】
上記導出部は透音口と同じ幅寸法のスリット状に形成されたことを特徴とする請求項１記載の浴室用電子装置。
【請求項３】
上記導出部はカバーの前面からカバーの下面へと延設されていることを特徴とする請求項１または請求項２に記載の浴室用電子装置。
【請求項４】
上記透音口の幅寸法を一端から他端に向けて漸次拡がるようにしたことを特徴とする請求項１から請求項３のいずれかに記載の浴室用電子装置。
【請求項５】
上記透音口の長手方向が垂直方向になるように透音口を形成したことを特徴とする請求項１から請求項４のいずれかに記載の浴室用電子装置。
【発明の詳細な説明】
【技術分野】
【０００１】
本発明は、風呂リモコンや浴室テレビといった浴室の壁面に取り付けられる浴室用電子装置に関する。
【背景技術】
【０００２】
従来のこの種の浴室用電子装置として浴室テレビが知られている。この種の浴室テレビは液密に密閉された装置本体を浴室の壁面に取り付け、更にこの装置本体に前面側からカバーを取り付けている。装置本体の前面には発音手段である防水スピーカが取り付けられている。テレビ音声はこの防水スピーカから発音されることになるが、装置本体にはカバーが取り付けられているので、カバーの一部であって防水スピーカの前方に位置する部分にテレビ音声を前方へと透過させるための透音口が形成されている。
【０００３】
この透音口は湯水の表面張力で塞がれるとテレビ音声が透過しにくくなるので、湯水ができるだけ滞留しないように円孔ではなくスリット状に形成される場合がある。また、このようにスリット状に形成される場合には透音口の長手方向が垂直になるようにして、透音口内の湯水が下方に下がり、透音口から湯水が離脱しやすくしている。さらには、この垂直な透音口の上下端を斜めに形成することにより、湯水が効率よく離脱するようにしたものが知られている（例えば、特許文献１参照）。
【特許文献１】特開２００２−１３５８７２号公報（図１）
【発明の開示】
【発明が解決しようとする課題】
【０００４】
透音口を垂直なスリット状に形成し、さらに透音口の上下端を斜めに形成しても、透音口の下端まで下がった湯水は表面張力のため完全に透音口から離脱することはなく、少量ではあるが下端に湯水が常に滞留することになる。すると、その滞留した湯水に埃が吸着され、湯水が乾燥するとその埃が透音口の下端に付着し、つぎに湯水が透音口にかけられると、前回より多くの湯水が滞留することになる。
【０００５】
また、湯水が透音口の下端に長時間滞留するとその部分にカビが発生し、やはり多量の湯水が滞留しやすくなる。すると、透音口が下端から湯水で塞がれる面積が増加してテレビ音声の透過が阻害されるようになる。
【０００６】
そこで本発明は、上記の問題点に鑑み、透音口内に湯水が滞留しにくく、かつ長年使用しても滞留する湯水量が増加しない浴室用電子装置を提供することを課題とする。
【課題を解決するための手段】
【０００７】
上記課題を解決するために本発明による浴室用電子装置は、浴室内の壁面に取り付けられる電子装置であって、前面に発音手段を有する装置本体と、装置本体に対して装着され、装置本体の前面及び外側面を覆うカバーとからなり、このカバーを装置本体に装着した状態で装置本体の発音手段の前方に位置する部分にカバーを貫通するスリット状の透音口を有するものにおいて、この透音口の長手方向が水平方向に対して所定の角度をなし、透音口の一端が他端より上方に位置するように透音口を設けると共に、透音口内に滞留する湯水を透音口外へ導出する導出部を透音口の他端に連結して形成したことを特徴とする。
【０００８】
透音口の他端は一端より低くなっているので、透音口内に入った湯水は他端へ集まる。他端には導出部が連結されているので、湯水は透音口から導出部へと導き出されて透音口内には残留しない。
【０００９】
この導出部は種々の形態が考えられるが、上記導出部は透音口と同じ幅寸法のスリット状に形成されておれば、形成が容易であってカバーの外観が損なわれることがない。
【００１０】
特に、上記導出部はカバーの前面からカバーの下面へと延設されていれば、導き出された湯水はカバーの下面側に回り込み前方から見えにくくなるため、外観が損なわれにくくなる。
【００１１】
また、上記透音口の幅寸法を一端から他端に向けて漸次拡がるように形成すれば、透音口内の湯水がスムーズに他端へと移動する。
【００１２】
上記透音口の長手方向が垂直方向になるように透音口を形成すれば、さらに湯水は他端へとスムーズに移動する。
【発明の効果】
【００１３】
以上の説明から明らかなように、本発明は、スリット状の透音口内の湯水を透音口の外部へと導出部によって導き出されるので、透音口内に湯水が滞留し、あるいは残留することがない。そのため、発音手段からの音声等が湯水で阻害されることなく透音口を透過して前方へ到達させることができる。
【発明を実施するための最良の形態】
【００１４】
図１を参照して、ＢＲは浴室であり、この浴室ＢＲの壁面ＢＷに浴室用電子装置である浴室テレビ１が取り付けられている。なお、浴室用電子装置は浴室テレビ１に限られるものではなく、インターホンやラジオ、風呂リモコン等であってもよい。
【００１５】
図２を参照して、この浴室テレビ１は液密に密閉されたテレビ本体２と、このテレビ本体２に前方から取り付けられる化粧用のカバー３とから構成されている。このテレビ本体２は上記壁面ＢＷに固定されるものであり、前面に発音手段である防水スピーカ２１が取り付けられている。
【００１６】
一方、カバー３には垂直方向に長手のスリット状の透音口３１が形成されている。この透音口３１はカバー３をテレビ本体２に取り付けると、防水スピーカ２１の前方に位置するように設定されている。
【００１７】
図３を参照して、透音口３１は上述のように垂直方向に長手のスリット状に形成されており、カバー３を前後方向に貫通している。そして、この透音口３１には同じ幅寸法のスリット状の導出部３２が連結して形成されている。この導出部３２は透音口３１の下端から始まり、カバー３の下面側に回り込んでいる。
【００１８】
このように構成されているので、透音口３１内に湯水が入り込んでも重力によりその湯水は下方へと移動し、透音口３１の下端から導出部３２へと導き出される。導出部３２へ導き出された湯水は更に下方に移動して、カバーの下面に回り込んでいる部分まで移動すると、水滴ＷＤとなって導出部３２から下方に落下する。なお、導出部３２をこのようにカバー３の下面まで延設したので、テレビ本体２とカバー３との間に湯水が入り込んでも、導出部３２からカバーの外側へと排出される。
【００１９】
ところで、導出部３２は必ずしもカバーを貫通している必要はなく、例えば図４（ａ）に示すように、カバー３の表面に刻設された溝状の導出部３２ａを透音口３１に連結させてもよい。また、同図（ｂ）に示すように、テレビ本体２とカバー３との間に入り込んだ湯水を排出させるため、カバー３の下面に位置する貫通部分３２ｃを形成し、その貫通部分３２ｃにスリット状の導出部３２ｂを連結させてもよい。
【００２０】
つぎに、図５（ａ）を参照して、スリット状の幅寸法を下方に向かうに従って拡幅する形状の透音口３１ａを設けてもよい。このように透音口３１ａの幅寸法が下方に向かって拡幅することにより、透音口３１ａ内の湯水が下方に移動するに従って表面張力の影響が低下し、導出部３２に湯水が導出されやすくなる。また、上記各形態では透音口を垂直に形成したが、同図（ｂ）に示しように斜めに傾斜させた透音口３１ｂを設けてもよい。
【００２１】
なお、本発明は上記した形態に限定されるものではなく、本発明の要旨を逸脱しない範囲内において種々の変更を加えてもかまわない。
【図面の簡単な説明】
【００２２】
【図１】本発明の一実施の形態の構成を示す図
【図２】浴室テレビの外観及び構造を示す図
【図３】透音口の形状を示すIII-III断面図
【図４】透音口の他の形状を示す断面図
【図５】透音口のさらに他の形状を示す正面図
【符号の説明】
【００２３】
１ 浴室テレビ
２ テレビ本体
３ カバー
２１ 防水スピーカ
３１ 透音口
３１ａ 透音口
３１ｂ 透音口
３２ 導出部
ＢＲ 浴室
ＢＷ 壁面
ＷＤ 水滴
【図１】
2005204149.tif 000003
【図２】
2005204149.tif 000004
【図３】
2005204149.tif 000005
【図４】
2005204149.tif 000006
【図５】
2005204149.tif 000007